(57)【要約】【課題】車内への水滴やにおいの浸入を防ぎ、取付作業性に優れた車両窓用収納具を提供する。【解決手段】車両１の窓であるリアクォーターウインドウ４に取り付けられる車両窓用収納具５であって、リアクォーターウインドウ４の外側面に取り付けられ、開口部７を有して内部に収納空間を有する収納具本体６と、開口部７を開閉する蓋体８とを備えたことにより、既存のリアクォーターウインドウ４の外側面に取り付けるので、後付可能で作業性に優れ、また、リアクォーターウインドウ４はそのまま現存するので、車両窓用収納具５を介して水滴やにおいが車内へ浸入するのを防ぐことができる。【選択図】図３
2018149999.tif 000002
【特許請求の範囲】
【請求項１】
車両の窓に取り付けられる車両窓用収納具であって、
前記窓の外側面に取り付けられ、開口部を有して内部に収納空間を有する収納具本体と、前記開口部を開閉する蓋体とを備えたことを特徴とする車両窓用収納具。
【請求項２】
前記収納具本体と前記蓋体とがヒンジ部により連結され、前記蓋体が後部を開放側として水平方向に揺動自在であることを特徴とする請求項１記載の車両窓用収納具。
【請求項３】
前記収容具本体の底部に水抜き孔を備えたことを特徴とする請求項１又は２に記載の車両窓用収納具。
【請求項４】
前記蓋体の前部に、前記車両の前方から後方へかけて漸次車幅方向に大きくなるように形成された傾斜部を備えたことを特徴とする請求項１〜３のいずれか１項に記載の車両窓用収納具。
【発明の詳細な説明】
【技術分野】
【０００１】
本発明は、車両の窓に取り付けられる車両窓用収納具に関する。
【背景技術】
【０００２】
従来、この種のものとして、ウインドウガラスを取り外した車体側部のリアサイドウインドにトランク本体を取り付けると共に、トランク本体を開閉自在に構成した車載用トランク（例えば特許文献１）が提案されている。
【先行技術文献】
【特許文献】
【０００３】
【特許文献１】実開平２−１３３９４０号公報
【発明の概要】
【発明が解決しようとする課題】
【０００４】
上記従来技術では、車載用トランクはウインドウガラスを取り外した窓枠に取り付けるため、ウインドウガラスの取り外し作業が必要となり、また、車載用トランクが不要となった場合に車載用トランクを取り外した後にウインドウガラスを再度取り付ける必要があり、取り付け作業が煩雑であるという問題があった。また、特許文献１に記載された車載用トランクは、インナリッドを開けることにより車内と車載用トランク内部とがつながるため、車載用トランク内が濡れていたり、においを発生させる収納物が収納されている場合に、水滴やにおいが意図せず車内に侵入してしまう虞があった。
【０００５】
そこで、本発明は上記した問題点に鑑み、車内への水滴やにおいの浸入を防ぎ、取付作業性に優れた車両窓用収納具を提供することを目的とする。
【課題を解決するための手段】
【０００６】
上記目的を達成するために、請求項１に係る発明は、車両の窓に取り付けられる車両窓用収納具であって、前記車両窓用収納具は、前記窓の外側面に取り付けられ、開口部を有して内部に収納空間を有する収納具本体と、前記開口部を開閉する蓋体とを備えたことを特徴とする。
【０００７】
請求項２に係る発明は、前記収納具本体と前記蓋体とがヒンジ部により連結され、前記蓋体が後部を開放側として水平方向に揺動自在であることを特徴とする。
【０００８】
請求項３に係る発明は、前記収容具本体の底部に水抜き孔を備えたことを特徴とする。
【０００９】
請求項４に係る発明は、前記蓋体の前部に、前記車両の前方から後方へかけて漸次車幅方向に大きくなるように形成された傾斜部を備えたことを特徴とする。
【発明の効果】
【００１０】
請求項１の構成によれば、既存の窓の外側面に取り付けるので、作業性に優れ、また、窓はそのまま現存するので、車両窓用収納具を介して水滴やにおいが車内へ浸入するのを防ぐことができる。
【００１１】
請求項２の構成によれば、蓋体を収納具本体の後部に対して開閉可能な構成とすることで、車両が前進した場合に、風圧によって蓋体が開いてしまうことを防ぐことができる。
【００１２】
請求項３の構成によれば、雨水が収納具本体に浸入した場合や収納具本体内部を水洗いした場合に、速やかに水分を収納具本体外部に排出することができる。
【００１３】
請求項４の構成によれば、車両が前進した場合の空気抵抗を低減するとともに、車両窓用収納具の前方にスライドドアが配置された場合に、スライドドアの動作を妨げることなく、収納具本体の収納容積を確保することができる。
【図面の簡単な説明】
【００１４】
【図１】本発明の実施例１を示す車両窓用収納具を備えた車両の斜視図である。
【図２】同上、蓋体を閉じた状態を示す車両窓用収納具の斜視図である。
【図３】同上、蓋体を開けた状態を示す車両窓用収納具の斜視図である。
【図４】同上、図３とは別の角度から見た蓋を開けた状態を示す車両窓用収納具の斜視図である。
【図５】同上、車両窓用収納具の蓋体を閉じた状態を示す車両の平面図である。
【図６】同上、車両窓用収納具の蓋体を開けた状態を示す車両の平面図である。
【図７】同上、蓋体を閉じた状態を示す車両窓用収納具の断面図である。
【発明を実施するための形態】
【００１５】
以下、図面を参照して、本発明の車両窓用収納具の実施例について説明する。
【実施例１】
【００１６】
図１〜図７は本発明の実施例１を示す。図１〜図７において、本実施例の自動車の車両１は、車体の左右の側部に前後二つのドア開口が設けられ、前側のドア開口にはヒンジ式の前側ドア、後側のドア開口２にはスライド式の後側ドア３を備えている。符号４は、後側のドア開口２の後方の車体に備えた嵌め込み式窓からなるリアクォーターウインドウである。
【００１７】
左側のリアクォーターウインドウ４には、繊維強化プラスチック等の合成樹脂製の車両窓用収納具５を備えている。尚、リアクォーターウインドウ４に取り付けられる車両窓用収納具５は、車両１の全幅から出ない範囲で設定されている。
【００１８】
車両窓用収納具５は、リアクォーターウインドウ４の外側面に取り付けられ、内部に収納空間を有する収納具本体６と、前記収納具本体６の開口部７を開閉する蓋体８とを備えている。尚、リアクォーターウインドウ４は略逆三角形状に形成されており、車両窓用収納具５もリアクォーターウインドウ４と略同形状の略逆三角形状に形成されている。
【００１９】
収納具本体６は、リアクォーターウインドウ４に取り付けられる取付部９と、取付部９の反対側に上側を大きく開口した開口部７を備えている。取付部９はリアクォーターウインドウ４と略同形状、且つ平坦に形成されている。
【００２０】
収納具本体６における蓋体８との合わせ面の上下には、凸部１０が所定間隔を有してそれぞれ３カ所に形成されている。尚、凸部１０は、蓋体８を閉じた状態で、蓋体８の内側面に当接可能に形成されたものである。
【００２１】
収納具本体６の底部には、収納具本体６の内外を連通する貫通孔からなる水抜き孔１１を備えている。収納具本体６の前部には、蓋体８を水平方向に揺動自在にするヒンジ部１２を備えている。
【００２２】
蓋体８は、取付部９を除く収納具本体６全体を被覆可能に形成されており、蓋体８を閉じた状態では、収納具本体６は外部に露出しない構成となっている。そして、蓋体８の前部には、車両１の前方から後方へかけて漸次車幅方向に大きくなるように形成された傾斜部１３を備えている。
【００２３】
また、蓋体８を閉じた状態で固定するロック手段として、蓋体８の内側面後部に備えた突起部１４と、収納具本体６の外側面後部に備え、突起部１４を受ける本体１５からなるプッシュ式ラッチ１６を設けている。
【００２４】
以上の構成の車両窓用収納具５の取付方法は、取付部９をリアクォーターウインドウ４のガラスの外側面又は窓枠、或いはその両方に両面テープ等の固定手段１７によって固定して、車両窓用収納具５のリアクォーターウインドウ４への取り付けが完了する。尚、固定手段１７は、両面テープ以外にも、ビス止めや窓枠に取り付けた金具を介しての固定等であっても良いものとする。
【００２５】
車両窓用収納具５の使用方法は、蓋体８が閉じた状態で、蓋体８の後部を押すと、プッシュ式ラッチ１６の突起部１４と本体１５との結合が解除されて、蓋体８が開いて収納具本体６の開口部７へのアクセスが可能となる。
【００２６】
また、蓋体８が開いた状態から、蓋体８の後部を収納具本体６に押し付けると、プッシュ式ラッチ１６の突起部１４と本体１５とが結合し、蓋体８が閉じる。
【００２７】
収納具本体６の収納空間には、各種小物、フリスビー等の玩具類、ペットのリードや水筒等のお散歩グッズ、ペットの排泄物を収容するバッグ等のにおいが発生する物等を収納することが可能である。
【００２８】
また、車両窓用収納具５は、合成樹脂製であるから、収納具本体６内部が汚れた場合には、収納具本体６内部まで水洗いが可能である。収納具本体６の底部に水抜き孔１１を備えているため、収納具本体６の内部の水分は水抜き孔１１を介して速やかに外部へ排出される。
【００２９】
尚、収納具本体６の底部は、車両１の後方から前方にかけて漸次下降するように傾斜して形成されている。水抜き孔１１は、後側のドア開口２に近接した収納具本体６の底部前端の最低部分に形成されており、水抜き孔１１から排出された水分は、後側のドア開口２に沿って流れやすくなっており、水抜き孔１１から排出された水分によって車両１が汚れるのを防ぐことができる。また、本実施例では、収納具本体６のみに水抜き孔１１を備えているが、収納具本体６の水抜き孔１１から排出されて蓋体８の内側面を流れてくる水滴をドア開口２やボディの合わせ目等の車両１の排水機構に案内する蓋体８側の水抜き孔を備えてもよいものとする。
【００３０】
蓋体８を閉じた状態では、収納具本体６の凸部１０は蓋体８の内側面に当接しており、走行時の蓋体８のガタつきが抑えられる。また、蓋体８を閉じた状態でも、凸部１０によって収納具本体６と蓋体８には隙間が確保されており、水抜き孔１１から排出された水分は収納具本体６と蓋体８の隙間を通って外部へ排出される。
【００３１】
このように本実施例では、請求項１に対応して、車両１の窓であるリアクォーターウインドウ４に取り付けられる車両窓用収納具５であって、車両窓用収納具５は、リアクォーターウインドウ４の外側面に取り付けられ、開口部７を有して内部に収納空間を有する収納具本体６と、開口部７を開閉する蓋体８とを備えたことにより、既存のリアクォーターウインドウ４の外側面に取り付けるので、取り付けの作業性に優れ、また、リアクォーターウインドウ４はそのまま現存するので、車両窓用収納具５を介して水滴やにおいが車内へ浸入するのを防ぐことができる。
【００３２】
このように本実施例では、請求項２に対応して、収納具本体６と蓋体８とがヒンジ部１２により連結され、蓋体８が後部を開放側として水平方向に揺動自在であることにより、蓋体８を収納具本体６の前部に対して閉塞し、収納具本体６の後部に対して開閉可能な構成とすることで、車両１が前進した場合に、風圧によって蓋体８が開いてしまうことを防ぐことができる。
【００３３】
このように本実施例では、請求項３に対応して、収容具本体６の底部に水抜き孔１１を備えたことにより、雨水が収納具本体６に浸入した場合や収納具本体６の内部を水洗いした場合に、速やかに水分を収納具本体６の外部に排出することができる。
【００３４】
このように本実施例では、請求項４に対応して、蓋体８の前部に、車両１の前方から後方へかけて漸次車幅方向に大きくなるように形成された傾斜部１３を備えたことにより、車両１が前進した場合の空気抵抗を低減するとともに、車両窓用収納具５の前方にスライドドアが配置された場合に、スライドドアの動作を妨げることなく、収納具本体６の収納容積を確保することができる。
【００３５】
尚、本発明は、本実施例に限定されるものではなく、本発明の要旨の範囲内で種々の変形実施が可能である。例えば、車両の背部の窓に備えても良いものとする。また、開口部を介して収納部本体内部に雨水が浸入するのを防止するのに、収納部本体と蓋体との合わせ目にパッキンを備えたり、開口部における少なくとも上側の縁部に止水用のフランジ部を連続して備えても良いものする。また、固定手段はプッシュ式ラッチに限定されるものではなく、マグネット式ラッチや螺子止め式等としてもよい。また、部外者によって蓋体が開けられるのを防ぐために、蓋体に鍵を設けてもよいものとする。また、スライド式の後側ドアを自動で開閉させる機能を備えた車両の場合、蓋体が開いた状態では、後側ドアを自動で開動作させるのを防止する機能を備えていることが好ましい。また、本実施例のリアクォーターウインドウは車両の車体外面とほぼ面一に設けられたものであるが、リアクォーターウインドウが車体外面に対して室内側に奥まって設けられ、車体に窪みが形成されている場合に、車体の窪みの分だけ取付部と開口部との間の寸法を拡大することで、収納具本体の収納容積を拡大することができる。
【符号の説明】
【００３６】
１  車両
４  リアクォーターウインドウ（窓）
５  車両窓用収納具
６  収納具本体
７  開口部
８  蓋体
１１  水抜き孔
１２  ヒンジ部
１３  傾斜部
【図１】
2018149999.tif 000003
【図２】
2018149999.tif 000004
【図３】
2018149999.tif 000005
【図４】
2018149999.tif 000006
【図５】
2018149999.tif 000007
【図６】
2018149999.tif 000008
【図７】
2018149999.tif 000009